(57)【特許請求の範囲】
【請求項１】
相手部材（１０）に摺動自在に密接するシール部（４）にネジ溝（５）を設けた密封装置において、
大気側から密封流体側への流れを許容するとともに反対向きの流れを遮断する逆流防止弁（６）を前記ネジ溝（５）内に設けたことを特徴とする密封装置。
【請求項２】
請求項１の密封装置において、
ネジ溝（５）の底面（５ａ）に固定または一体成形した板状の弁体（７）によって逆流防止弁（６）を形成したことを特徴とする密封装置。
【発明の詳細な説明】
【０００１】
【発明の属する技術分野】
本発明は、密封装置に係り、更に詳しくは、相手部材に摺動自在に密接するシール部にネジ溝を設けた密封装置に関するものである。
【０００２】
【従来の技術】
従来から、図５に示すように、樹脂製のシールリップ５１を有し、このシールリップ５１の、軸（図示せず）の周面に摺動自在に密接するシール部５２にネジ溝５３を設けた密封装置が知られている。ネジ溝５３は、軸の回転時にポンピング作用を発揮してネジ溝５３内の密封流体を大気側から密封流体側へ押し戻すものであるが、軸の静止時に密封流体がネジ溝５３を伝って漏れることがある。したがって従来は、同図に示すように、ネジ溝５３内に堰止め部５４を設けて軸の静止時における密封流体の漏れを防いでいるが、このようにネジ溝５３内に堰止め部５４を設けると、密封流体側から大気側への流れの他に反対向きの大気側から密封流体側への流れをも堰き止めてしまうために、これが上記ポンピング作用に係るポンプ能力を低下させる原因となっている。
【０００３】
【発明が解決しようとする課題】
本発明は以上の点に鑑み、相手部材に摺動自在に密接するシール部にネジ溝を設けた密封装置において、静止時に密封流体がネジ溝を伝って漏れるのを防止するとともに回転時にネジ溝が十分なポンプ能力を発揮し、もって優れたシール性能を発揮することが可能な密封装置を提供することを目的とする。
【０００４】
【課題を解決するための手段】
上記目的を達成するため、本発明の請求項１による密封装置は、相手部材に摺動自在に密接するシール部にネジ溝を設けた密封装置において、大気側から密封流体側への流れを許容するとともに反対向きの流れを遮断する逆流防止弁を前記ネジ溝内に設けたことを特徴とするものである。
【０００５】
また、本発明の請求項２による密封装置は、上記した請求項１の密封装置において、ネジ溝の底面に固定または一体成形した板状の弁体によって逆流防止弁を形成したことを特徴とするものである。
【０００６】
上記構成を備えた本発明の請求項１による密封装置のように、大気側から密封流体側への流れを許容するとともに反対向きの流れを遮断する逆流防止弁がネジ溝内に設けられると、この逆流防止弁による逆止弁作用によって、ネジ溝内の密封流体が大気側から密封流体側へ流れることのみが許容され、反対向きに密封流体側から大気側へ流れるのが遮断されることになる。逆流防止弁の構造には様々な態様が考えられるが、請求項２に記載したように、ネジ溝の底面に固定または一体成形した板状の弁体によって逆流防止弁を形成するのが、製作ないし成形の容易性を確保することができることから、好適である。
【０００７】
【発明の実施の形態】
つぎに本発明の実施形態を図面にしたがって説明する。
【０００８】
図１は、当該実施形態に係る密封装置の半裁断面を示しており、その要部拡大斜視図が図２に示されている。
【０００９】
図１に示すように、当該実施形態に係る密封装置（ネジシールまたはネジ溝シールとも称する）は先ず、金属製の取付環１を有しており、この取付環１にゴム状弾性材製の外周シール部２が焼付け接着されるとともに、取付環１の内周側にＰＴＦＥ等よりなる樹脂製のシールリップ（樹脂リップとも称する）３が保持されており、このシールリップ３の、摺動の相手部材である軸１０（図４参照）の周面１０ａに摺動自在に密接するシール部４に螺旋状のネジ溝５が一本または複数本貫通形成されており、この各ネジ溝５内に、装着時における大気側ｘから密封流体側ｙへの流れ（吸い込み方向の流れ）を許容するとともに反対向きの密封流体側ｙから大気側ｘへの流れ（漏れ方向の流れ）を遮断する逆流防止弁６が一箇所または複数箇所設けられており、図２に拡大して示すように、この各逆流防止弁６が、ネジ溝５の底面５ａに固定された板状の弁体７によって形成されている。
【００１０】
逆流防止弁６は、軸１０の回転時に開き、軸１０の停止時に閉まる機能を持つ開閉式のストッピングポイントであって、以下のように構成されている。
【００１１】
すなわち先ず、この逆流防止弁６は、ネジ溝５の底面５ａのみに固定された板状のものとして形成されている。また図３に示すように、この逆流防止弁６のネジ溝５深さ方向の寸法（高さ）ｈは、装着時にこの逆流防止弁６が軸１０の周面１０ａに対して周方向に引っ掛かるように、ネジ溝５の深さｄよりも大きく形成されている（ｈ＞ｄ）。また図４に示すように、当該密封装置の内周に軸１０を挿入するときは、この逆流防止弁６が軸１０回転時に吸い込み方向の密封流体（油等の液体）の流れに逆らわずに倒れるとともに（同図（Ａ））、軸１０停止時に漏れ方向の密封流体の流れによって起こされて、軸１０の周面１０ａに押し付けられるように設定する（同図（Ｂ））。
【００１２】
上記構成を備えた密封装置によれば、上記したように大気側ｘから密封流体側ｙへの流れを許容するとともに反対向きの密封流体側ｙから大気側ｘへの流れを遮断する逆流防止弁６がネジ溝５内に設けられているために、この逆流防止弁６による逆止弁作用によって、ネジ溝５内の密封流体が大気側ｘから密封流体側ｙへ流れることのみが許容され、反対向きに密封流体側ｙから大気側ｘへ流れるのが遮断される。したがってこの逆流防止弁６の備える方向性によって、軸１０の静止時に密封流体がネジ溝５を伝って漏れるのを有効に防止することができるとともに、軸１０の回転時にはネジ溝５に十分なポンプ能力（吸い込みポンプ能力）を発揮させることができる。
【００１３】
また、ネジ溝５の底面５ａに固定された板状の弁体７によって逆流防止弁６が形成されているために、当該逆流防止弁６ないし樹脂製シールリップ３の製作ないし成形が容易である。
【００１４】
【発明の効果】
本発明は、以下の効果を奏する。
【００１５】
すなわち先ず、上記構成を備えた本発明の請求項１による密封装置においては、相手部材に摺動自在に密接するシール部にネジ溝を設けた密封装置において、大気側から密封流体側への流れを許容するとともに反対向きの流れを遮断する逆流防止弁がネジ溝内に設けられているために、この逆流防止弁による逆止弁作用によって、ネジ溝内の密封流体が大気側から密封流体側へ流れることのみが許容され、反対向きに密封流体側から大気側へ流れるのが遮断される。したがってこの逆流防止弁の備える方向性によって、静止時に密封流体がネジ溝を伝って漏れるのを有効に防止することができるとともに、回転時にネジ溝に十分なポンプ能力を発揮させることができる。
【００１６】
またこれに加えて、上記構成を備えた本発明の請求項２による密封装置においては、ネジ溝の底面に固定または一体成形された板状の弁体によって逆流防止弁が形成されているために、当該逆流防止弁の製作ないし成形の容易性を確保することができる。
【図面の簡単な説明】
【図１】本発明の実施形態に係る密封装置の半裁断面図
【図２】同密封装置の要部斜視図
【図３】同密封装置の要部断面図
【図４】（Ａ）および（Ｂ）とも逆流防止弁の作動状態を示す断面図
【図５】従来例に係る密封装置の要部斜視図
【符号の説明】
１  取付環
２  外周シール部
３  シールリップ
４  シール部
５  ネジ溝
５ａ  底面
６  逆流防止弁
７  弁体
１０  軸（相手部材）
１０ａ  周面
【図１】
0004069345.tif 000002
【図２】
0004069345.tif 000003
【図３】
0004069345.tif 000004
【図４】
0004069345.tif 000005
【図５】
0004069345.tif 000006